【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射された光束を偏向走査する偏向手段と、前記偏向手段の偏向面により偏向走査された光束を被走査面上に結像させる結像光学系と、を有する光走査装置において、
前記光源手段から出射された光束が前記偏向手段の偏向面に入射するときの副走査断面内における前記光束の主光線と前記偏向面の法線の成す角度をγ、前記結像光学系の副走査方向の結像倍率をβ、前記結像光学系のうち前記被走査面に最も近い結像光学素子の出射面を通過する光束の主走査方向の光束幅をＷ[mm]、副走査断面内における前記偏向手段の回転軸を法線とする平面と前記偏向手段の偏向面に入射する光束の位置から前記被走査面上に入射する光束の位置を結んだ直線とのなす角度をε（≠γ）とするとき、
【数１】
2007178827.tif 000001
なる条件を満足することを特徴とする光走査装置。
【請求項２】
光源手段と、前記光源手段から出射された光束を偏向走査する偏向手段と、前記偏向手段の偏向面により偏向走査された光束を被走査面上に結像させる結像光学系と、を有する光走査装置において、
前記光源手段から出射された光束が前記偏向手段の偏向面に入射するときの副走査断面内における前記光束の主光線と前記偏向面の法線の成す角度をγ、前記結像光学系の副走査方向の結像倍率をβ、前記結像光学系のうち前記被走査面に最も近い結像光学素子の出射面を通過する光束の主走査方向の光束幅をＷ[mm]、副走査断面内における前記偏向手段の回転軸を法線とする平面と前記偏向手段の偏向面に入射する光束の位置から前記被走査面上に入射する光束の位置を結んだ直線とのなす角度をε（≠γ）とするとき、
前記被走査面上の主走査方向の走査位置ｙにおける位置変化Δｙに対する、副走査方向の像面湾曲dsの変化量ΔdsをΔdｓ/Δyとするとき、
【数２】
2007178827.tif 000002
なる条件を満足することを特徴とする光走査装置。
【請求項３】
前記結像光学系の副走査方向の結像倍率βは、
1.0≦｜β｜≦3.0
なる条件を満足することを特徴とする請求項１又は２に記載の光走査装置。
【請求項４】
請求項１乃至３の何れか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項５】
請求項１乃至３の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
請求項１の発明の光走査装置は、光源手段と、前記光源手段から出射された光束を偏向走査する偏向手段と、前記偏向手段の偏向面により偏向走査された光束を被走査面上に結像させる結像光学系と、を有する光走査装置において、
前記光源手段から出射された光束が前記偏向手段の偏向面に入射するときの副走査断面内における前記光束の主光線と前記偏向面の法線の成す角度をγ、前記結像光学系の副走査方向の結像倍率をβ、前記結像光学系のうち前記被走査面に最も近い結像光学素子の出射面を通過する光束の主走査方向の光束幅をＷ[mm]、副走査断面内における前記偏向手段の回転軸を法線とする平面と前記偏向手段の偏向面に入射する光束の位置から前記被走査面上に入射する光束の位置を結んだ直線とのなす角度をε（≠γ）とするとき、
【数３】
2007178827.tif 000003
なる条件を満足することを特徴としている。
【手続補正３】
【補正対象書類名】明細書
【補正対象項目名】００１４
【補正方法】変更
【補正の内容】
【００１４】
請求項２の発明の光走査装置は、光源手段と、前記光源手段から出射された光束を偏向走査する偏向手段と、前記偏向手段の偏向面により偏向走査された光束を被走査面上に結像させる結像光学系と、を有する光走査装置において、
前記光源手段から出射された光束が前記偏向手段の偏向面に入射するときの副走査断面内における前記光束の主光線と前記偏向面の法線の成す角度をγ、前記結像光学系の副走査方向の結像倍率をβ、前記結像光学系のうち前記被走査面に最も近い結像光学素子の出射面を通過する光束の主走査方向の光束幅をＷ[mm]、副走査断面内における前記偏向手段の回転軸を法線とする平面と前記偏向手段の偏向面に入射する光束の位置から前記被走査面上に入射する光束の位置を結んだ直線とのなす角度をε（≠γ）とするとき、
前記被走査面上の主走査方向の走査位置ｙにおける位置変化Δｙに対する、副走査方向の像面湾曲dsの変化量ΔdsをΔdｓ/Δyとするとき、
【数４】
2007178827.tif 000004
なる条件を満足することを特徴としている。
【手続補正４】
【補正対象書類名】明細書
【補正対象項目名】００１５
【補正方法】変更
【補正の内容】
【００１５】
請求項３の発明は請求項１又は２の発明において、前記結像光学系の副走査方向の結像倍率βは、
1.0≦｜β｜≦3.0
なる条件を満足することを特徴としている。
【手続補正５】
【補正対象書類名】明細書
【補正対象項目名】００１６
【補正方法】変更
【補正の内容】
【００１６】
請求項４の発明の画像形成装置は、請求項１乃至３の何れか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正６】
【補正対象書類名】明細書
【補正対象項目名】００１７
【補正方法】変更
【補正の内容】
【００１７】
請求項５の発明の画像形成装置は、請求項１乃至３の何れか１項に記載の光走査装置と、外部機器から入力したコードデータを画像信号に変換して前記光走査装置に入力せしめるプリンタコントローラとを有していることを特徴としている。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００４３
【補正方法】変更
【補正の内容】
【００４３】
ここで、光源手段１からの光束がポリゴンミラー５の偏向面に入射するときの副走査断面内における偏向面の法線に対する入射角度をγとする。結像レンズ６の副走査方向のパワーをφ、結像レンズ６の副走査方向の結像倍率(副走査倍率)をβ、結像レンズ６に入射する光線の副走査方向の高さをｈとする。また結像レンズ６の出射角度をγ’（＝γ／β）とする。そうすると結像レンズ６のパワーが例えば製造のバラツキや環境変化等によりΔφ変化したときの出射角度の変化量Δγ’は、近軸計算より
Δγ’=ｈ・Δφ・・・（式Ａ）
となる。またポリゴンミラー５の偏向面５ａの反射点から結像レンズ６までの距離をＳ0、結像レンズ６から被走査面８までの距離をＳとすると、結像レンズ６の副走査方向のパワーが変動することによる被走査面８上の走査位置変化（照射位置ずれ）Δzは、
Δz=Δγ’×Ｓ・・・（式Ｂ）
となり、h=S0×γと（式Ａ）とあわせて、（式Ｂ）は
Δｚ＝S0×Ｓ×γ×Δφ・・・（式Ｃ）
となる。結像レンズ６の副走査方向のパワーがΔφ変動することで、被走査面８上での副走査方向のピントがΔS変化するときとすると、Δφは
【手続補正１７】
【補正対象書類名】明細書
【補正対象項目名】００７２
【補正方法】変更
【補正の内容】
【００７２】
（式１）(式２)において副走査方向の斜入射角度が同一の場合、副走査倍率β（結像倍率β）が１より小さくなるとスキューの変動量が敏感になるのが分かる。また、副走査倍率βが大きすぎると形状変化による副走査方向のピント敏感度が増すので、結像光学系の副走査倍率βは
1.0≦｜β｜≦3.0・・・（式３）
なる条件を満足することが望ましい。
【手続補正１８】
【補正対象書類名】明細書
【補正対象項目名】００７４
【補正方法】変更
【補正の内容】
【００７４】
1.2≦｜β｜≦2.8・・・（式３a）
また斜入射角度γが小さいと結像光学系を出射したあと複数光束の分離が難しくなるので良くない。よって斜入射角度γは
1.5(度)≦γ・・・（式４）
なる条件を満足することが良い。